(57)【要約】      （修正有）【課題】フィルムを傷付けることなく硬い地面でも確実に止着することができ、使用後は土壌中に分解されて回収作業の必要がないマルチフィルム用杭を提供する。【解決手段】マルチフィルムの上面に重ねる押え面体１を設ける。押え面体１とマルチフィルムとを貫通して地中に止着する杭体２を設ける。押え面体１を生分解性の合成樹脂により形成する。杭体２を生分解性の合成樹脂で形成する。又は杭体２を木材にて形成する。マルチフィルムの上面に押え面体１を重ね、押え面体１の上から地中に杭体２を止着してマルチフィルムを固定する。押え面体１は、平板状を成している。そして、杭体２を挿通する挿通孔１Ａを平板の中心に形成した。【選択図】図１
0003212343.tif 000002
【実用新案登録請求の範囲】
【請求項１】
マルチフィルムの上面に重ねる押え面体と、該押え面体の上から押え面体とマルチフィルムとを貫通して地中に止着する杭体とで構成され、押え面体は生分解性の合成樹脂により形成され、杭体は生分解性の合成樹脂又は木材にて形成されたことを特徴とするマルチフィルム用杭。
【請求項２】
前記押え面体は平板状を成し、前記杭体を挿通する挿通孔を平板の中心に形成した請求項１記載のマルチフィルム用杭。
【請求項３】
前記押え面体の前記挿通孔の周囲に、複数の透過孔を形成した請求項２記載のマルチフィルム用杭。
【請求項４】
前記杭体は、丸釘の胴部形状を成すと共に、前記押え面体を貫通する止着胴部と、該止着胴部の上端に形成され、前記押え面体の上面に重ねる平頭状の重合頭部とを生分解性の合成樹脂により一体に形成された請求項１記載のマルチフィルム用杭。
【請求項５】
前記杭体として割り箸を使用し、前記押え面体に該割り箸の胴部を挿通し、且つ割り箸の上端部が嵌合する挿通孔を形成した請求項１記載のマルチフィルム用杭。
【請求項６】
前記杭体として竹串を使用し、前記押え面体に該竹串の胴部を挿通し、且つ竹串の上端部が係合する挿通孔を形成した請求項１記載のマルチフィルム用杭。
【考案の詳細な説明】
【技術分野】
【０００１】
本考案は、主に農業用に使用されているマルチフィルムを地面に止着するのに好適なマルチフィルム用杭に関するものである。
【背景技術】
【０００２】
農業用マルチフィルム（mulching film）とは、畑の畝を覆うフィルム（シートを含む）で、雑草の防除や保温・保水、虫除けとして使用される各種のフィルムである。
【０００３】
このマルチフィルムを地面に固定する際に杭を使用する場合がある。この場合、使用した杭は、使用後に抜き取って回収する必要がある。そこで、杭の回収作業を軽減するために、例えば特許文献１に記載のシート状物押え具が提案されている。
【０００４】
特許文献１のシート状物押え具は、シート状物を地面に押える押え板と、押え板の上から地面に差し込む押えピン部材とを形成したものである。この押えピン部材は、２本のピン体の上部相互を繋ぎ片で連結して握り部を形成している。そして、押えピン部材の回収時には、押えピン部材の握り部を手で握ることで、簡単に引き抜くことができるというものである。ところが、この握り部によって押えピン部材等の杭の回収が容易になるとしても、回収した杭を廃棄処理する必要がある。
【０００５】
そこで、この回収作業や廃棄処理を不要にするため、自然に生分解される材質を使用した留め具が特許文献２に記載されている。この留め具は、フィルム等を貫通して土中に刺し込む土刺部と、土刺部の上端側に設けてフィルム等を押さえる押頭部とを段ボールで形成したものである。留め具の材料が段ボールであることから、使用後に回収しなくても、自然に生分解されるので廃棄処理する必要がなくなるというものである。
【０００６】
一方、芝マットを植生地に固定する芝串において、平板状の押え板と、その下面から垂下する少なくとも１本又は２本の軸棒が生分解性の合成樹脂により一体成形された芝串が特許文献３に提案されている。この芝串によると、押え板は軸棒と一体であるから、片手で楽に芝串を植生地へ刺し込むことができ、生分解性合成樹脂の芝串は、地中の微生物によって分解されて土壌に同化するというものである。
【先行技術文献】
【特許文献】
【０００７】
【特許文献１】特許第５４９９０６１号公報
【特許文献２】特開２０１１-２２３９４３号公報
【特許文献３】特開平８-８９０８１号公報
【考案の概要】
【考案が解決しようとする課題】
【０００８】
特許文献２に記載の留め具は段ボールで形成しているので、地面が硬いと差し込む際に、土刺部が変形する可能性があった。しかも、段ボールが水分を含むと強度が著しく劣化するおそれがある。そのため、梅雨など長雨の時期に使用すると短期間で強度が劣化してしまう。しかも、水分を帯びた段ボールは、カビなどの発生も多くなり、留め具としての機能を果たす前に腐敗してしまう可能性もある。
【０００９】
一方、特許文献３に記載された生分解性合成樹脂の芝串は、段ボールに比べて一定の止着強度を長期間維持することは可能である。ところが、平板状の押え板と１本又は２本の軸棒とが生分解性の合成樹脂により一体成形されていると、芝串を止着する際に、特に平板状の押え板がこのフィルムを傷付ける虞がある。
【００１０】
すなわち、押え板と軸棒とを一体化した特許文献３の芝串は、柴を植生地へ止着するには好適であるとしても、農業用マルチフィルムのように薄いフィルム材を止着した場合、芝串を差し込む際に、押え板がフィルム材に強く接触するので、この押え板がフィルム材を傷付けるおそれがある。
【００１１】
そこで本考案は、上述の課題を解消すべく案出されたもので、マルチフィルムを地面に固定する際に、フィルムを傷付けることなく、硬い地面でも確実に止着することができ、しかも、マルチフィルムを除去するまでの期間において十分な強度を維持し、使用後は土壌中に分解されて回収作業や、廃棄処分の必要がない、マルチフィルム用杭の提供を目的とするものである。
【課題を解決するための手段】
【００１２】
上述の目的を達成すべく本考案における第１の手段は、マルチフィルムの上面に重ねる押え面体１と、該押え面体１の上から押え面体１とマルチフィルムとを貫通して地中に止着する杭体２とで構成され、押え面体１は生分解性の合成樹脂により形成され、杭体２は生分解性の合成樹脂又は木材にて形成されたことにある。
【００１３】
第２の手段において、前記押え面体１は平板状を成し、前記杭体２を挿通する挿通孔１Ａを平板の中心に形成したものである。
【００１４】
第３の手段は、前記押え面体１の前記挿通孔１Ａの周囲に、複数の透過孔を形成したものである。
【００１５】
第４の手段において、前記杭体２は、丸釘の胴部形状を成すと共に、前記押え面体１を貫通する止着胴部２Ｂと、該止着胴部２Ｂの上端に形成され、前記押え面体１の上面に重ねる平頭状の重合頭部２Ａとを生分解性の合成樹脂により一体に形成されたものである。
【００１６】
第５の手段は、前記杭体２として割り箸を使用し、前記押え面体１に該割り箸の胴部を挿通し、且つ割り箸の上端部が嵌合する挿通孔１Ａを形成したことにある。
【００１７】
第６の手段は、前記杭体２として竹串を使用し、前記押え面体１に該竹串の胴部を挿通し、且つ竹串の上端部が係合する挿通孔１Ａを形成したものである。
【考案の効果】
【００１８】
請求項１のごとく、マルチフィルムの上面に重ねる押え面体１と、該押え面体１の上から押え面体１とマルチフィルムとを貫通して地中に止着する杭体２とで構成され、押え面体１は生分解性の合成樹脂により形成され、杭体２は生分解性の合成樹脂又は木材にて形成されたことにより、フィルムを傷付けることなく、硬い地面でも確実に止着することができる。しかも、マルチフィルムを除去するまでの期間において十分な強度を維持し、使用後は土壌中に分解されて回収作業や、廃棄処分の必要がない。
【００１９】
請求項２のように、押え面体１は平板状を成し、前記杭体２を挿通する挿通孔１Ａを平板の中心に形成したことで、杭体２を打ち込む際に、フィルムを傷付けることなく、硬い地面でも確実に止着することができる。
【００２０】
請求項３のごとく、押え面体１の前記挿通孔１Ａの周囲に、複数の透過孔を形成しているので、押え面体１の軽量化を図ることができる。しかも、押え面体１の生分解速度を速める効果もある。
【００２１】
請求項４のように、押え面体１と杭体２とを生分解性の合成樹脂により一体に形成したことで、生分解速度のコントロールが容易になる。しかも、杭体２は、丸釘の胴部形状を成しているので、角杭や板状杭などに比べて生分解速度が速くなる。更に、止着胴部２Ｂの上端に形成され、押え面体１の上面に重ねる平頭状の重合頭部２Ａを形成したことで、安定した止着力が得られる。
【００２２】
請求項５のごとく、杭体２として割り箸を使用し、前記押え面体１に該割り箸の胴部を挿通し、且つ割り箸の上端部が嵌合する挿通孔１Ａを形成したことにより、市販の割り箸や使用済の割り箸を杭体２として使用することができる。この結果、安価な提供が可能になる。しかも、フィルムを傷付けることなく、硬い地面でも確実に止着することができる。
【００２３】
請求項６のように、杭体２として竹串を使用し、押え面体１に該竹串の胴部を挿通し、且つ竹串の上端部が係合する挿通孔１Ａを形成したことで、市販の竹串や使用済の竹串を杭体２として使用することができる。この結果、安価な提供が可能になる。しかも、フィルムを傷付けることなく、硬い地面でも確実に止着することができる。
【００２４】
このように、本考案によると、マルチフィルムを地面に固定する際に、フィルムを傷付けることなく、硬い地面でも確実に止着することができ、しかも、マルチフィルムを除去するまでの期間において十分な強度を維持し、使用後は土壌中に分解されて回収作業や、廃棄処分の必要がないなどといった当初の目的を達成した。
【図面の簡単な説明】
【００２５】
【図１】本考案の一実施例を示す斜視図である。
【図２】本考案の一実施例を示す側面図である。
【図３】本考案の押え面体の他の実施例を示す平面図である。
【図４】本考案の押え面体の他の実施例を示す平面図である。
【図５】本考案の杭体の他の実施例を示す側面図である。
【図６】本考案の杭体の他の実施例を示す側面図である。
【考案を実施するための形態】
【００２６】
以下、本考案の実施の形態を説明する。本考案は、主に農業用に使用されているマルチフィルムを地面に止着する際に使用するマルチフィルム用杭である。
【００２７】
本考案の構成は、押え面体１と杭体２とで構成されている。押え面体１は、マルチフィルムの上面に重ねる板状部材である。この押え面体１の材質は、特に生分解性の合成樹脂により形成されている。
【００２８】
本考案では、マルチフィルムの上面に押え面体１を重ね、押え面体１の上から地中に杭体２を止着してマルチフィルムを固定するものである。図示の押え面体１は、平板状を成している（図１参照）。そして、杭体２を挿通する挿通孔１Ａを平板の中心に形成したものである。図示例では、円形の押え面体１を示しているが、この他、四角形等の多角形状に形成するなど、押え面体１の形状は任意に変更することができる。
【００２９】
また、この押え面体１において、挿通孔１Ａの周囲に、複数の透過孔１Ｂを形成することで、押え面体１の軽量化を図り、生分解スピードを促進させることが可能になる（図３参照）。
【００３０】
一方、杭体２は、押え面体１の上から押え面体１とマルチフィルムとを貫通して地中に止着する棒状部材である。この杭体２は、生分解性の合成樹脂にて形成される。図示例では、丸釘の胴部形状を成す止着胴部２Ｂと、押え面体１の上面に重ねる平頭状の重合頭部２Ａとを設けている（図２参照）。
【００３１】
また、杭体２を木材にて形成することも可能である。例えば、杭体２として、割り箸を使用することが可能である（図５参照）。この場合、押え面体１に、割り箸の胴部を挿通し、且つ割り箸の上端部が嵌合する挿通孔１Ａを形成する（図４参照）。
【００３２】
更に、杭体２として竹串を使用することも可能である（図６参照）。この場合、押え面体１を竹串の胴部が貫通して地面に止着すると共に、竹串の上端部が押え面体１に係合する。
【００３３】
尚、本考案杭の構成は図示例に限定されるものではなく、押え面体１や杭体２の形状や材質等は本考案の要旨を変更しない範囲で任意に変更することが可能である。
【符号の説明】
【００３４】
１  押え面体
１Ａ  挿通孔
１Ｂ  透過孔
２  杭体
２Ａ  重合頭部
２Ｂ  止着胴部
【図１】
0003212343.tif 000003
【図２】
0003212343.tif 000004
【図３】
0003212343.tif 000005
【図４】
0003212343.tif 000006
【図５】
0003212343.tif 000007
【図６】
0003212343.tif 000008